(57)【特許請求の範囲】
【請求項１】
複数の情報端末と複数のサーバとを含むネットワークシステムにおける負荷分散方法において、
複数のサーバをそれぞれＶＩＤの異なるＶＬＡＮに接続し、
負荷分散制御装置を用いて各サーバの負荷状態及び障害を検出し、
入力されたパケットのＶＩＤを接続先のＶＬＡＮのＶＩＤに変換するタグ変換装置を用いて、情報端末からのパケットのＶＩＤを前記各サーバの負荷状態及び障害、負荷分散のポリシーに応じて変換することにより、該情報端末に接続するサーバを切り替える
ことを特徴とする負荷分散方法。
【請求項２】
請求項１記載の負荷分散方法において、
予備のサーバを含め複数のサーバに同一のＩＰアドレスを持たせる
ことを特徴とする負荷分散方法。
【請求項３】
請求項１記載の負荷分散方法において、
タグ変換装置を冗長化した
ことを特徴とする負荷分散方法。
【請求項４】
請求項１記載の負荷分散方法において、
負荷分散制御装置はサーバの負荷状態を検出するためのパケットのＶＩＤを各サーバが接続したＶＬＡＮに対応するＶＩＤに切り替えながら出力して各サーバの負荷状態を検出する
ことを特徴とする負荷分散方法。
【請求項５】
請求項１記載の負荷分散方法に用いるタグ変換装置であって、
入力パケットの接続先のＶＬＡＮに対応するＶＩＤを該入力パケットのＶＩＤ、ＩＰアドレス及びポート番号毎に記述したタグ変換テーブルと、
入力パケットのＶＩＤをタグ変換テーブルに従って変換して出力する手段と、
外部からの指示によりタグ変換テーブルを設定する手段とを備えた
ことを特徴とするタグ変換装置。
【請求項６】
請求項１記載の負荷分散方法に用いる負荷分散制御装置であって、
各サーバが接続したＶＬＡＮに対応するＶＩＤを記述したタグ変換テーブルと、
サーバの負荷状態を検出するためのパケットにタグ変換テーブルに従ってＶＩＤを切り替え付与して出力し、その応答により各サーバの負荷状態を検出する手段と、
検出した結果を外部に通知する手段とを備えた
ことを特徴とする負荷分散制御装置。
【請求項７】
複数の情報端末と複数のサーバとを含むネットワークシステムにおける負荷分散方法において、
複数のサーバをそれぞれＶＩＤの異なるＶＬＡＮに接続し、
入力されたパケットのＶＩＤを接続先のＶＬＡＮのＶＩＤに変換するタグ変換装置を用いて、サーバの負荷状態を検出するためのパケットを各サーバが接続したＶＬＡＮに対応するＶＩＤに切り替えながら出力して各サーバの負荷状態及び障害を検出し、情報端末からのパケットのＶＩＤを前記各サーバの負荷状態及び障害、負荷分散のポリシーに応じて変換することにより、該情報端末に接続するサーバを切り替える
ことを特徴とする負荷分散方法。
【請求項８】
請求項７記載の負荷分散方法に用いるタグ変換装置であって、
入力パケットの接続先のＶＬＡＮに対応するＶＩＤを該入力パケットのＶＩＤ、ＩＰアドレス及びポート番号毎に記述するとともに各サーバが接続したＶＬＡＮに対応するＶＩＤを記述したタグ変換テーブルと、
入力パケットのＶＩＤをタグ変換テーブルに従って変換して出力する手段と、
サーバの負荷状態を検出するためのパケットにタグ変換テーブルに従ってＶＩＤを切り替え付与して出力し、その応答により各サーバの負荷状態を検出する手段と、
前記各サーバの負荷状態及び外部からの指示によりタグ変換テーブルを設定する手段とを備えた
ことを特徴とするタグ変換装置。
【発明の詳細な説明】
【０００１】
【発明の属する技術分野】
本発明は、コンピュータネットワークにおけるサーバの負荷分散の技術分野に属する。
【０００２】
【従来の技術】
Ｗｅｂサイト等において、サーバの高信頼性、可用性を確保するため、サーバの負荷分散、冗長化が重要となっている。負荷分散方法としては、一般に、ドメインネームシステム（Ｄｏｍａｉｎ  Ｎａｍｅ  Ｓｙｓｔｅｍ：以下、ＤＮＳ）を用いる方法、負荷分散装置を用いる方法、クラスタサーバを用いる方法等がある。
【０００３】
図１はＤＮＳを用いる負荷分散方法の説明図である。
【０００４】
クライアントの情報端末１１，１２は、サーバアクセス時、ＤＮＳサーバ３１へドメインネームのアドレス解決のクエリを発行する。ＤＮＳサーバ３１はそれらのクエリに対し、ラウンドロビン等でそれぞれ異なるサーバ４１，４２を指定することにより負荷分散を行う。
【０００５】
図２は負荷分散装置を用いる負荷分散方法の説明図である。
【０００６】
負荷分散装置８１には、サーバ４３〜４５のＩＰアドレスとは異なる仮想的なサーバのＩＰアドレスが設定される。クライアントの情報端末１３，１４は、そのＩＰアドレスに対しアクセスを行う。負荷分散装置８１はそれらのアクセスに対し、サーバ４３〜４５の負荷状態等から、それぞれ異なるサーバへリダイレクトすることにより負荷分散を行う。負荷分散装置８１はサーバ４３〜４５の状態を監視しているため、サーバの障害時には、当該障害サーバへのリダイレクトを中止することが可能である。また、負荷分散装置８１の信頼性を高めるため、負荷分散装置８２を設けて冗長化することも可能である。
【０００７】
図３はクラスタサーバを用いる負荷分散方法の説明図である。
【０００８】
サーバ４８〜５０には、インストールされるアダプタソフトにより、仮想的に全て同一のＩＰアドレス及びＭＡＣアドレスが設定される。クライアントの情報端末１７，１８は、そのＩＰアドレスに対してアクセスを行う。情報端末からのアクセスに対し、サーバ４８〜５０は負荷分散アルゴリズムに従ってどれか一つのサーバが応答することにより負荷分散を行う。サーバ４８〜５０の障害時には、互いにハートビートメッセージを交換することにより当該障害サーバを検出し、負荷分散アルゴリズムを修正することにより、他のサーバへの振り分けが可能となる。また、サーバ４８〜５０はネットワーク的に完全に並列であるため、サーバの増減、予備サーバ７２への交換も容易である。
【０００９】
【発明が解決しようとする課題】
ＤＮＳを用いる方法では、ＤＮＳサーバはサーバの負荷状態を知らないため、高負荷のサーバにも割り振ってしまう場合がある。また、アドレス解決がネットワーク内の他のＤＮＳサーバを経由する場合、そのサーバにアドレス解決の情報がキャッシュされてしまうと、ＤＮＳサーバはキャッシュ情報を元にサーバを指定してしまうため、負荷分散されない場合があるという問題がある。
【００１０】
図１において、例えば、サーバ４１が高負荷でサーバ４２の負荷が低負荷である場合に、情報端末１１がサーバへのアドレス解決のクエリを発すると、ＤＮＳサーバ３１はラウンドロビン等でサーバを指定するため、サーバの負荷状態に拘わらず、高負荷であるサーバ４１に振り分けてしまう場合がある。また、アドレス解決のクエリがＤＮＳサーバ３２を経由してＤＮＳサーバ３１へ到達する時、ＤＮＳサーバ３２はアドレス解決の情報をキャッシュしてしまうため、他のアドレス解決のクエリに対しても、キャッシュした情報を元にサーバを指定しまい、負荷分散ができないという問題がある。
【００１１】
負荷分散装置を用いる方法では、ネットワークが複数ある場合、負荷分散装置はネットワーク毎に必要である。例えば、ユーザのテナントビルとデータセンタとの間において、ユーザグループ毎にバーチャルＬＡＮ（Ｖｉｒｔｕａｌ  ＬＡＮ：以下、ＶＬＡＮ）等でネットワークが分かれている場合、データセンタにはユーザグループ毎に負荷分散装置を設置する必要がある。また、各サーバにはそれぞれのＩＰアドレスが設定されているため、サーバ障害時には、予備サーバのＩＰアドレスを当該障害サーバのＩＰアドレスに設定する必要がある。さらに、異なるネットワーク（グループ）間で共用するサーバを設置するためには、サーバに物理インタフェースを２つ設置、或いはサーバでＶＬＡＮを終端する必要があるという問題がある。
【００１２】
図２において、例えばネットワーク２とは異なるネットワーク３がある場合、ネットワーク３にも負荷分散装置８３，８４、ＳＷ９２、サーバ４６，４７が必要である。また、サーバ４３〜４７にはそれぞれのＩＰアドレスが振ってあるため、サーバ４７の障害時には予備サーバ７１のＩＰアドレスをサーバ４７のＩＰアドレスに設定してから交換する必要がある。さらに、情報端末１３，１４が属するグループＡ１４１と情報端末１５，１６が属するグループＢ１４２とが共用するサーバ４５を設置するためには、サーバ４５はそれぞれの負荷分散装置に接続するため物理ＩＦを２つ設置するか、或いはサーバでネットワークのＶＬＡＮを終端する必要があるという問題がある。
【００１３】
クラスタサーバを用いる方法も、ネットワークが複数ある場合はクラスタサーバをネットワーク毎に設置する必要がある。また、各サーバはネットワーク的に完全に並列となるため、特定のクライアントからのリクエストを特定のサーバへ振り分けることは難しく、異なるネットワーク間で共用するサーバの設置も難しい。さらに、サーバはＨＵＢで接続されるため、１台のサーバ故障の影響が全体に波及する場合もある。サーバ台数が多いほど、互いのハートビートメッセージの交換に要する時間と、負荷分散アルゴリズムの修正が収束するのに要する時間が増加するため、サーバの大規模化が難しいという問題もある。
【００１４】
図３において、例えばネットワーク４とは異なるネットワーク５がある場合、ネットワーク５にもＨＵＢ９４、サーバ５１〜５３のクラスタサーバが必要である。また、サーバ４８〜５０がネットワーク的に並列であるために、例えば情報端末２０からのリクエストをサーバ５３に固定的に振り分けるといった設定は難しく、ネットワーク４とネットワーク５で共用するようなサーバの設置も難しい。
【００１５】
さらに、サーバ４８の故障によりＨＵＢ９３へサーバ４８が信号を出し続けると、サーバ４９，５０に対する通信が不可能となるという、１台のサーバ故障の影響が全体に波及する可能性があるという問題がある。また、サーバの台数が多いほど、互いのハートビートメッセージの交換に要する時間と、負荷分散アルゴリズムの修正が収束するのに要する時間が増加するため、サーバの大規模化が難しいという問題もある。
【００１６】
本発明は、上述したような従来の負荷分散方法の欠点に鑑みてなされたもので、サーバの負荷状態、或いは外部からの設定に応じてクライアントのリクエストの振り分けを可能とし、予備を含めたサーバの設定の同一化、負荷分散装置の冗長化、複数のネットワークでの負荷分散装置の共用、ネットワーク間で共用可能なサーバの設置、サーバの障害が全体へ波及しない負荷分散方法の提供を目的とする。
【００１７】
【課題を解決するための手段】
上記目的を達成するため、複数の情報端末と複数のサーバとを含むネットワークシステムにおける負荷分散方法において、複数のサーバをそれぞれＶＩＤの異なるＶＬＡＮに接続し、負荷分散制御装置を用いて各サーバの負荷状態及び障害を検出し、入力されたパケットのＶＩＤを接続先のＶＬＡＮのＶＩＤに変換するタグ変換装置を用いて、情報端末からのパケットのＶＩＤを前記各サーバの負荷状態及び障害、負荷分散のポリシーに応じて変換することにより、該情報端末に接続するサーバを切り替えて負荷分散を行う。詳細にはソースＩＰアドレス、デスティネーションＩＰアドレス、各サーバの負荷状態、外部からの振り分けポリシーの設定等に応じて振り分けるサーバを決定し、入力されたパケットのＶＩＤを該サーバのＶＩＤに付け替え、負荷分散を行う（請求項１）。
【００１８】
また、サーバはそれぞれ異なるＶＬＡＮに接続されるため、予備のサーバを含め複数のサーバに同一のＩＰアドレスを持たせることが可能であり（請求項２）、タグ変換装置を冗長化することにより、タグ変換装置に対する負荷も情報端末からのアクセス毎に分散することが可能となる（請求項３）。負荷分散制御装置によるサーバの負荷状態の検出は、サーバの負荷状態を検出するためのパケットのＶＩＤを各サーバが接続したＶＬＡＮに対応するＶＩＤに切り替えながら出力して、その応答時間等から検出することが可能である（請求項４）。
【００１９】
また、上記目的を達成するための装置として、タグ変換装置は、入力パケットの接続先のＶＬＡＮに対応するＶＩＤを該入力パケットのＶＩＤ、ＩＰアドレス及びポート番号毎に記述したタグ変換テーブルと、入力パケットのＶＩＤをタグ変換テーブルに従って変換して出力する手段と、外部からの指示によりタグ変換テーブルを設定する手段とから構成することが可能であり（請求項５）、また、負荷分散制御装置は、各サーバが接続したＶＬＡＮに対応するＶＩＤを記述したタグ変換テーブルと、サーバの負荷状態を検出するためのパケットにタグ変換テーブルに従ってＶＩＤを切り替え付与して出力し、その応答により各サーバの負荷状態を検出する手段と、検出した結果を外部に通知する手段とから構成することが可能である（請求項６）。
【００２０】
また、タグ変換装置を用いて各サーバの負荷状態及び障害を検出することにより、負荷分散制御装置を不要とすることもできる（請求項７）。この時、タグ変換装置には、サーバの負荷状態を検出するためのパケットにタグ変換テーブルに従ってＶＩＤを切り替え付与して出力し、その応答により各サーバの負荷状態を検出する手段を設ける（請求項８）。
【００２１】
本発明によれば、負荷分散制御装置からの各サーバの負荷状態の情報、サーバへの振り分けポリシーに基づき、タグ変換装置のタグ変換テーブルが設定されることにより、サーバの負荷状態だけではなく、特定のクライアントからのリクエストを特定のサーバへ振り分けることが可能となる。また、各サーバはそれぞれＶＬＡＮで接続され論理的に分かれているため、予備のサーバを含め複数のサーバに同一のＩＰアドレス等の設定が可能である。さらに、ユーザの属するネットワークともＶＬＡＮで論理的に分かれているため、１台のタグ変換装置で複数のネットワークの負荷分散も可能となる。
【００２２】
タグ変換装置を冗長化し、クライアントからのサーバアクセス経路を２重化し、負荷分散制御装置でどちらのタグ変換装置を経由するか指定することにより、サーバだけではなくタグ変換装置に対する負荷もクライアントのアクセス毎に分散することができる。各サーバはＶＬＡＮで論理的に分かれ、タグ変換装置はネットワーク的にレイヤー２スイッチ（Ｌ２ＳＷ）相当となるので、ＨＵＢ接続のように１台のサーバ障害がＨＵＢに接続されている他のサーバへ影響することはない。
【００２３】
【発明の実施の形態】
図４は本発明の負荷分散方法の実施の形態の一例を示すものである。
【００２４】
この実施の形態において、クライアント（情報端末）２１，２２はＶＬＡＮ１０１（ＶＩＤ＝１）を経由し、情報端末２３，２４はＶＬＡＮ１０２（ＶＩＤ＝２）を経由し、サーバ５４〜５８はＶＬＡＮ１０３〜１０７（ＶＩＤ＝３〜７）をそれぞれ経由してタグ変換装置１２１に接続され、また、負荷分散制御装置１３１もタグ変換装置１２１に接続されている。
【００２５】
情報端末２１，２２はグループＡ１４５に属し、サーバ５４，５５をグループＡ１４５内で使用しており、同様に、情報端末２３，２４はグループＢ１４６に属し、サーバ５７，５８をグループＢ１４６内で使用している。グループＡ１４５とグループＢ１４６はそれぞれ異なるネットワークであり、サーバ５６はグループＡ１４５及びグループＢ１４６のどちらの情報端末からもアクセスできるものとする。
【００２６】
タグ変換装置１２１は、例えば情報端末２１からのサーバアクセスのパケットのＶＩＤを、そのソースＩＰアドレス、ＶＩＤ（＝１）、負荷分散制御装置１３１からのサーバの負荷状態等から、
ＶＩＤ＝１  →  ＶＩＤ＝３
と変換することによりサーバ５４に振り分けることが可能である。同様に情報端末２２のパケットをサーバ５５に振り分けることにより、サーバへの負荷分散が可能となる。
【００２７】
サーバ５４の障害時には、
ＶＩＤ＝１  →  ＶＩＤ＝４
として接続するサーバを切り替えることにより、フェイルオーバーが可能となる。
【００２８】
サーバ５４〜５８はそれぞれＶＬＡＮで論理的に分かれているため、これらに同一のＩＰアドレスを設定することが可能であり、これにより、情報端末２１〜２４はサーバによらず当該ＩＰアドレスのみを用いてアクセスすることが可能となる。予備サーバ７３もサーバ５４〜５８と同一のＩＰアドレスを設定しておくことにより、サーバ５４〜５８のいずれかのサーバが故障しても、そのまま取り替えが可能であり、取り替えるサーバによって設定を変更する必要はない。
【００２９】
負荷分散制御装置１３１は、ＶＩＤを切り替えながら各サーバへｐｉｎｇ（Ｐａｃｋｅｔ  Ｉｎｔｅｒｎｅｔ  Ｇｒｏｐｅｒ）等を送出することにより、各サーバの負荷状態等を確認することが可能である。この負荷状態の確認機能はタグ変換装置１２１に組み込むことも可能である。
【００３０】
グループＡ１４５、グループＢ１４６でネットワークは異なるが、各情報端末及びサーバはＶＬＡＮにより論理的に分かれているため、１つのタグ変換装置１２１で接続可能であり、ネットワーク毎にタグ変換装置（負荷分散装置）を必要としない。また、異なるネットワーク間で共用するサーバ５６へも、他のサーバと同様にＶＩＤの変換だけでグループＡ１４５及びグループＢ１４６のどちらからもアクセス可能である。
【００３１】
図５はタグ変換装置１２１及び負荷分散制御装置１３１の詳細な構成図である。
【００３２】
パケット入力部２１１に入力されたパケットは、タグ変換テーブル２１５に従ってタグ変換部２１２でそのＶＩＤが接続先のＶＬＡＮのＶＩＤに変換され、パケット出力部２１３から送出される。タグ変換テーブル２１５には、入力パケットの接続先ＶＬＡＮのＶＩＤが、該入力パケットのＶＩＤ、ＩＰアドレス毎に記述されている。テーブル設定部２１４は、パケット入力部２１１の入力パケットのＶＩＤ、ソースＩＰアドレス、ポート番号等と、通信部２１６を介して入力される負荷分散制御装置１３１からの情報等に基づき、タグ変換テーブル２１５を設定する。
【００３３】
負荷分散制御装置１３１は、負荷状態検出部３１１からｐｉｎｇ等のパケットを、タグ変換部３１２でタグ変換テーブル３１５に従ってＶＩＤを切り替えながらパケット入出力部３１３を介して各サーバへ出力し、その応答時間によりサーバの負荷が、例えば軽／重／接続不可のいずれであるかを検出する。タグ変換テーブル３１５には、各サーバが接続されたＶＬＡＮに対応するＶＩＤが記述されている。テーブル設定部３１４は、負荷状態検出部３１１の指示によりタグ変換テーブル３１５を書き換え、負荷状態検出部３１１の接続先（試験パケットの出力先）を切り替える。
【００３４】
振り分け設定入力部３１７からは、特定のクライアントに対し特定のサーバの接続の指定、或いはサーバ振り分けの優先順位の指定等の、負荷分散のポリシーが入力される。例えば、情報端末２１のサーバ５４への接続指定、サーバの処理能力による高／中／低／接続不可等の優先順位が入力される。前記検出されたサーバ負荷状態及び入力された負荷分散のポリシーは、通信部３１６を介してタグ変換装置１２１に通知される。
【００３５】
図６乃至図８は振り分けポリシーによるサーバ振り分け時の動作をサーバ状態及びテーブル設定例とともに示すものである。
【００３６】
情報端末２１は、負荷分散制御装置１３１の接続指定によりサーバ５４に接続されている（図６）。情報端末２２がパケットを送出すると、タグ変換装置１２１は、タグ変換テーブル２１５に該当する変換テーブルが無いため、情報端末２１のソースＩＰアドレス、ＶＩＤ、ポート番号、負荷分散制御装置１３１からのサーバの負荷状態、優先順位から、変換テーブルを設定する。ここでは、サーバの負荷状態はいずれも同じため、優先順位の高いサーバ５５に振り分けている（図７）。変換テーブル２１５は、情報端末２２からのパケットが送出されなくなった後もしばらく保持されるが、エージングタイムが過ぎると削除される（図８）。
【００３７】
図９乃至図１１は、サーバ障害による振り分け変更時の動作をサーバ状態及びテーブル設定例とともに示すものである。
【００３８】
情報端末２２は、サーバ５５に接続されている（図９）が、サーバ５５障害時（図１０）は、タグ変換装置１２１により他のサーバへ振り分けられる。具体的には、負荷分散制御装置１３１が障害を検出してタグ変換装置１２１に通知し、タグ変換装置１２１はサーバ優先順位からサーバ５０に振り分けを行っている（図１１）。
【００３９】
図１２は本発明の負荷分散方法の実施の形態の他の例、ここではタグ変換装置を冗長化、即ち２台のタグ変換装置１２２，１２３を用いてタグ変換装置の負荷も分散するようになした例を示すものである。
【００４０】
図１３乃至図１５は、タグ変換装置障害による振り分け変更時の動作をサーバ状態及びテーブル設定例とともに示すものである。
【００４１】
負荷分散制御装置１３２からの負荷分散のポリシーにより、情報端末２６からのサーバアクセスの経路は、タグ変換装置１２２経由に設定されている。具体的には、タグ変換装置１２２においては情報端末２６のパケットをタグを変換することによりサーバ６０に送出し、タグ変換装置１２３においては接続先を設定しないことによりパケットを破棄している（図１３）。負荷分散制御装置１３２により、タグ変換装置１２２経由のサーバ６０接続が接続不可、タグ変換装置１２３経由は接続可能であることを検出した場合（図１４）、負荷分散のポリシーを変更し、タグ変換装置１２３経由に切り替える。これによりタグ変換装置の冗長化が可能となる（図１５）。
【００４２】
図１６は本発明の負荷分散方法の実施の形態のさらに他の例、ここでは負荷分散制御装置の機能を備えたタグ変換装置１２４を用いた例を示すものである。
【００４３】
図１７は図１６中のタグ変換装置１２４の詳細な構成図である。
【００４４】
タグ変換装置１２４は、負荷状態検出部２４６からｐｉｎｇ等のパケットを、タグ変換部２４２でタグ変換テーブル２４５に従ってＶＩＤを切り替えながら各サーバへ出力し、その応答時間から負荷状態を検出する。また、タグ変換テーブル２４５には、入力パケットの接続先ＶＬＡＮのＶＩＤが、該入力パケットのＶＩＤ、ＩＰアドレス毎に記述されている。テーブル設定部２４４は、負荷状態検出部２４６のサーバ切り替え指示及びサーバの負荷状態の検出結果、振り分け設定入力部２４７を介して外部から入力される振り分け指定に基づき、タグ変換テーブル２４５を設定することによって各サーバの負荷状態の検出、負荷分散が実現される。
【００４５】
このように、タグ変換装置１２４は、負荷状態検出部２４６を備えることにより負荷分散制御装置の機能も備えることが可能となる。
【００４６】
【発明の効果】
サーバへのＶＬＡＮ経路の動的な切り替えにより、高信頼性、高可用性サーバシステムの提供が可能である。ＶＬＡＮ経路を切り替えるテーブルを設定することにより、負荷分散しつつ、外部からの振り分けのポリシーの設定も可能である。
【００４７】
各サーバはＶＬＡＮにより論理的に分かれているため、同一のＩＰアドレスを設定可能であり、予備のサーバも同一の設定とすることにより、現用／予備の切り替えが容易になる。
【００４８】
各ネットワーク、サーバはＶＬＡＮにより論理的に分かれているため、複数のネットワークで負荷分散装置（タグ変換装置）を共用でき、また、ネットワーク間で共用可能なサーバ設置も容易である。この時、タグ変換装置はＬ２ＳＷ相当となり、サーバがＨＵＢ接続された場合のように１台の障害が全体へ波及してしまう、という問題は起こらない。
【図面の簡単な説明】
【図１】従来の負荷分散方法の一例を示す説明図
【図２】従来の負荷分散方法の他の例を示す説明図
【図３】従来の負荷分散方法のさらに他の例を示す説明図
【図４】本発明の負荷分散方法の実施の形態の一例を示す説明図
【図５】図４中のタグ変換装置及び負荷分散制御装置の詳細を示す構成図
【図６】図４の実施の形態における振り分けポリシーによるサーバ振り分け時の動作を示す説明図
【図７】図４の実施の形態における振り分けポリシーによるサーバ振り分け時の動作を示す説明図
【図８】図４の実施の形態における振り分けポリシーによるサーバ振り分け時の動作を示す説明図
【図９】図４の実施の形態におけるサーバ障害による振り分け変更時の動作を示す説明図
【図１０】図４の実施の形態におけるサーバ障害による振り分け変更時の動作を示す説明図
【図１１】図４の実施の形態におけるサーバ障害による振り分け変更時の動作を示す説明図
【図１２】本発明の負荷分散方法の実施の形態の他の例を示す説明図
【図１３】図１２の実施の形態におけるタグ変換装置障害による振り分け変更時の動作を示す説明図
【図１４】図１２の実施の形態におけるタグ変換装置障害による振り分け変更時の動作を示す説明図
【図１５】図１２の実施の形態におけるタグ変換装置障害による振り分け変更時の動作を示す説明図
【図１６】本発明の負荷分散方法の実施の形態のさらに他の例を示す説明図
【図１７】図１６中のタグ変換装置の詳細を示す構成図
【符号の説明】
１〜５：ネットワーク、１１〜３０：情報端末、３１，３２：ＤＮＳサーバ、４１〜６６：サーバ、７１〜７４：予備サーバ、８１〜８４：負荷分散装置、９１，９２：スイッチ、９３，９４：ＨＵＢ、１０１〜１１８：ＶＬＡＮ、１２１〜１２４：タグ変換装置、１３１，１３２：負荷分散制御装置、１４１〜１４８：情報通信ネットワーク（グループ）、２１１，２４１：パケット入力部、２１２，２４２，３１２：タグ変換部、２１３，２４３はパケット出力部、２１４，２４４，３１４：テーブル設定部、２１５，２４５，３１５：タグ変換テーブル、２１６，３１６：通信部、２４６，３１１：負荷状態検出部、３１３：パケット入出力部、２４７，３１７：振り分け設定入力部。
【図１】
0003825333.tif 000002
【図２】
0003825333.tif 000003
【図３】
0003825333.tif 000004
【図４】
0003825333.tif 000005
【図５】
0003825333.tif 000006
【図６】
0003825333.tif 000007
【図７】
0003825333.tif 000008
【図８】
0003825333.tif 000009
【図９】
0003825333.tif 000010
【図１０】
0003825333.tif 000011
【図１１】
0003825333.tif 000012
【図１２】
0003825333.tif 000013
【図１３】
0003825333.tif 000014
【図１４】
0003825333.tif 000015
【図１５】
0003825333.tif 000016
【図１６】
0003825333.tif 000017
【図１７】
0003825333.tif 000018